(57)【要約】      （修正有）【課題】キッチン周りにおいて長時間使用されても、吸臭、及び吸湿の能力が高いため乾燥した表面状態を維持できる箱状容器で、しかも良好な衛生状態を維持しうる吸湿・吸臭無機質箱状容器を提供する。【解決手段】吸臭・吸湿できる立体ボックス体１において、厚さ４〜１５ｍｍの吸湿・吸臭用無機質の平板から製作された縦２００〜７００ｍｍ、横２００〜９００ｍｍ、高さ２００〜１８００ｍｍの略正方形、又は略長方形の箱体が構成されている当該ボックス体１の６面のうち、４〜５面をパーミキュライトとケイ酸カルシウムと繊維質材とを含む高吸湿・吸臭性平板２からなる収納部とし、収納部の６面体の形状のうち、１〜２面を開口にしている。【選択図】図１
0003212571.tif 000002
【実用新案登録請求の範囲】
【請求項１】
吸臭・吸湿できる立体ボックス体において、厚さ４〜１５ｍｍの吸湿・吸臭用無機質の平板から製作された縦２００〜７００ｍｍ、横２００〜９００ｍｍ、高さ２００〜１８００ｍｍの略正方形、又は略長方形の箱体が構成されている当該ボックス体の６面のうち４〜５面にパーミキュライトとケイ酸カルシウムと繊維質材とを含む調湿材平板である、高吸湿・吸臭性平板からなる収納部で、前記収納部の６面体の形状のうち、１〜２面を開口にしている収納容器体になっていることを特徴とする吸湿・吸臭用無機質箱状容器。
【請求項２】
高吸湿・吸臭性無機質平板は、吸臭性、並びに吸湿性を高めた無機性であるバーミキュライトとケイ酸カルシウムからなる基材に配合されており、その配合量が全組成物で固形分として５〜７０質量％であって、その他石灰質材料と補強繊維を含有している吸臭・吸湿できる略正方形、又は略長方形の平版形状になっている容積体の表面積を、全体箱状容器である３〜１２００Ｌの容積で内部に棚、箱なども設置できて、前記高吸湿・吸臭性無機質平板材料を使用して製作されていることを特徴とする請求項１に記載の吸湿・吸臭用無機質箱状容器。
【請求項３】
吸湿・吸臭性の吸湿・吸臭用無機質箱状容器は、靴ボックス、調味ケース、食品収納庫であって、ボックスの組み立ての無機質箱状固定型、或いは移動型があって、１〜２面の開口部に開閉扉を持つこともでき、しかも物品を収納、又は取り出しが可能にしており、移動型においては、上面に伸縮可能な取手部、及び底部に４個の回転型キャスター、並びに木製の枠体を取り付けていることを特徴とする請求項１、又は請求項２に記載の吸湿・吸臭用無機質箱状容器。
【考案の詳細な説明】
【技術分野】
【０００１】本考案は、臭い発生周り、及びキッチン周り、及び水周りにおいて長時間使用されても、吸臭、及び吸湿の能力が高いため乾燥した表面状態を維持できる無機吸湿材料を持っている吸湿・吸臭用無機質箱状容器に関する。
【背景技術】
【０００２】下駄箱の収納部、あるいは脱衣室の浴室出口付近、洗面所、トイレ、台所などの床面は、水の飛散により濡れ易くそして湿気を帯びるため、感触が劣化するとともに特に高温多湿な梅雨期などではカビ、雑菌の発生が誘発され衛生状態の低下を招く恐れがある。吸湿性が高い無機質材料が期待される。【０００３】下駄箱の収納部、臭気物を捨てる際、内部臭気の漏れがなく、又、不快な内部の収納物が視界に入らず、特に、閉じられた空間に設置されている場合においては、空間に臭気が充満することがなくなり、きわめて有効である臭気物用のダストボックスとして、所要の容積を持ち、上部に開口部を設けた収納部と、開口部より連続する、所要の容積を持つ受取部の、二層から成り、開口部の一部に、外部より開閉自在となる内部開閉部を設け、受取部の外部に接する面の一部に、開閉自在となる外部開閉部を設け、受取部の一部に、脱臭装置を取り付けているものが提案されている（特許文献１参照）。【０００４】一定の長さにカットした円筒型の備長炭１を立てた状態で収納ボックスに収納し、上から蓋３で固定することにより備長炭の安定性を高めると同時に、長方形のボックスが基本ユニットになるために、単体での使用はもとより、マット状に並べて敷くことも可能となる。また、収納ボックスに設けた空気穴により、備長炭の調湿作用や消臭・除菌作用を効果的に機能させることが可能となるものが提案されている（特許文献２参照）。【０００５】吸放湿性を有する木製の脱臭剤収納容器内に粒状化した木炭を脱臭剤として収納し、脱臭剤収納容器で余分な湿気を除去して木炭への水分の吸着を減らすことにより、長期間木炭の吸着力を保ち、粒状化して表面積を増大させた木炭で収納空間雰囲気中の臭気成分を確実に吸着させて脱臭を行えることとなり、脱臭能力を長期にわたり維持できる。また、脱臭剤収納容器が木製であることにより、収納棚等の木肌が現れている内部に置いても違和感がなく、周囲に溶け込ませてデザイン的な統一感も得られる容器が提案されている（特許文献３参照）。【０００６】鉱物系材料の一つとしてバーミキュライトがある。このバーミキュライト（ヒル石）は、黒雲母に類似した粘土鉱物であり、高温で脱水により層に垂直の方向に著しく膨張して、ヒルのように伸び多孔体となる。このため、断熱性、吸音性に優れるので、基材への配合材（充填材、増量材）、さらには基材として断熱材、吸音材をはじめとする各種建材に、その軽量化の目的と併せて用いられることが多い。一方、バーミキュライトは吸湿能力があまり高くないため、調湿材としてはまったく顧みられていない（特許文献４参照）。【０００７】石膏、ケイ酸カルシウム、セメント、スラグ石膏もしくは塩基性炭酸マグネシウムの一種以上から選択される親水性基材を含む建材組成物を成形して得られる建材を表面焼付け処理してなる化粧建材の提案がある（特許文献５参照）。
しかし無機材料であって、吸湿性が高く、足さわりが良い足拭きマットは存在していない。
【先行技術文献】
【特許文献】
【０００８】
【特許文献１】実開平６−８３６０１号公報
【特許文献２】実用新案登録第３０７７５４６号公報
【特許文献３】実用新案登録第３０５０９１０号公報
【特許文献４】特開２００２−２８５０３７号公報
【特許文献５】特開２００３−１４６７７５号公報
【考案の概要】
【考案が解決しようとする課題】
【０００９】前記のように、一般の住宅では、下駄箱などの臭い発生周り、及びキッチン周り、及びトイレなどの水周りにおいて長時間使用されても、吸臭、及び吸湿の能力が高いため乾燥した表面状態を維持できる無機吸湿材料を持っている吸湿・吸臭用無機質箱状容器によって、湿気、臭いを充分に吸湿、吸臭できず、その食器棚の表面が常に乾いた状態を維持して、発生する臭い、湿気を取り除き、優れた部屋環境にすることができない状態である。また前記吸吸臭・吸湿性を備えた箱形容器において、下駄箱、トイレ、キッチン内の部屋が臭いを発生して、或いは下駄箱、キッチンルームでの内部の湿気、臭いが充満して、しかもカビ、雑菌などの発生の恐れもあり衛生状態を継続できないという問題がある。【００１０】本考案は、バーミキュライトとセメント、ケイ酸カルシウムを含む調湿材平板から製作された、かつ平面矩形状に形成された高吸湿・吸臭性板を用いた箱状容器を基本とし、下駄箱、キッチン周り、及び水周り、及び臭い発生周りにおいて長時間使用されても、吸湿・吸臭の能力が高いため乾燥した表面状態を維持できて、部屋内が常に快適な感触が得られ、しかも良好な衛生状態を維持しうる吸湿・吸臭用無機質箱状容器の提供を課題としている。【００１１】天然資源としてのケイ酸カルシウム、バーミキュライトのさらなる有効利用を図り、調湿および／または消臭、さらには美観の要請をも満たし得る、特に吸放湿の量および速度においてバランスに優れた建材を見出すべく、種々検討を行った。【００１２】鉱物系材料の一つとしてケイ酸カルシウム、バーミキュライトがある。バーミキュライト（ヒル石）は、黒雲母に類似した粘土鉱物であり、高温で脱水により層に垂直の方向に著しく膨張して、ヒルのように伸び多孔体となる。このため、吸湿性、断熱性、吸湿性に優れた平板の基材から組み立てられた箱材に、その軽量化の目的と併せて用いられる吸湿・吸臭用無機質箱状容器の供給を目的としている。
【課題を解決するための手段】
【００１３】吸臭・吸湿できる立体ボックス体において、厚さ４〜１５ｍｍの吸湿・吸臭用無機質の平板から製作された縦２００〜７００ｍｍ、横２００〜９００ｍｍ、高さ２００〜１８００ｍｍの略正方形、又は略長方形の箱体が構成されている当該ボックス体の６面のうち４〜５面にパーミキュライトとケイ酸カルシウムと繊維質材とを含む調湿材平板である、高吸湿・吸臭性平板からなる収納部で、前記収納部の６面体の形状のうち、１〜２面を開口にしている収納容器体になっている吸湿・吸臭用無機質箱状容器である。好ましくは厚さ４〜９ｍｍの吸湿・吸臭用無機質の平板から製作された縦３００〜６００ｍｍ、横３００〜７００ｍｍ、高さ３００〜１２００ｍｍである。【００１４】高吸湿・吸臭性無機質平板は、吸臭性、並びに吸湿性を高めた無機性であるバーミキュライトとケイ酸カルシウムからなる基材に配合されており、その配合量が全組成物で固形分として５〜７０質量％であって、その他石灰質材料と補強繊維を含有している吸臭・吸湿できる略正方形、又は略長方形の平版形状になっている容積体の表面積を、全体箱状容器である３〜１２００Ｌの容積で内部に棚、箱なども設置できて、前記高吸湿・吸臭性無機質平板材料を使用して製作されている。好ましくは全体箱状容器で２０〜８００Ｌ容積である。【００１５】吸湿・吸臭性の吸湿・吸臭用無機質箱状容器は、靴ボックス、調味ケース、食品収納庫であって、ボックスの組み立ての無機質箱状固定型、或いは移動型があって、１〜２面の開口部に開閉扉を持つこともでき、しかも物品を収納、又は取り出しが可能にしており、移動型においては、上面に伸縮可能な取手部、及び底部に４個の回転型キャスターを取り付けている。また回転型キャスターを使用しない場合もある。【００１６】無機性高吸湿・吸臭性材料は、色彩としてクリーム、メーブル、バーチ、オーク、ウオールナット、シーダー、レッドウッド、マホガニー、グリーンから選ばれたものであっている。バーミキュライトとセメント成分、ケイ酸カルシウム、スラグ石膏の一種以上から選択される基材を用いた調湿材を含む高吸水性平板を具えるため、表面の乾燥状態を維持できる。少なくともバーミキュライトをセメント、ケイ酸カルシウム、スラグ石膏の一種以上から選択される基材を用いた調湿材を含む高吸水性タイルを具えるため、表面の乾燥状態を維持できる。【００１７】バーミキュライトをセメント、ケイ酸カルシウム、スラグ石膏の一種以上から選択される基材とは、内外に通じる０．１〜０．２ミクロン程度の無数の細孔を有し、木炭に比べても数千倍になる微細で超多孔質な構造を持つため、１７００℃程度の高耐火性に加え、吸湿性（吸水性）、吸着性、脱臭性、保温性、断熱性などの性能を持ち、さらには一度吸湿した水分を再び放出する「呼吸性（調湿性・吸放湿性）」という優れた特性を備えている。
【考案の効果】
【００１８】バーミキュライトを主成分としてセメント、ケイ酸カルシウム、スラグ石膏の一種以上から選択される基材は、キッチン周り、及び水周り、及び臭い発生周りにおいて湿気、臭いを充分に吸湿、吸臭でき、その表面が常に乾いた状態を維持して発生する臭い、湿気を取り除き、優れた環境にすることができる。また前記吸吸臭・吸湿性を備えた容器において、キッチン周り、及び水周り、及び臭い発生周り部屋が臭いをしないもので、或いはリビングルーム、キッチンルームでの内部の湿気、臭いを容易に取り出し、下駄箱、食品収納庫にも使用できて、しかもカビ、雑菌などの発生の恐れなく衛生状態を継続しうる。【００１９】また前記高吸臭・吸水性の吸湿・吸臭用無機質箱状容器は、縦横の一辺長さが２００〜９００ｍｍの範囲容で比較的小さくボックス体で形成されるため、その上に重量的にも割れ難く、しかも製作、加工の取扱いが容易である。また厚さが４〜２０ｍｍの範囲であるため、必要充分な強度を有して割れ難く、充分な吸湿、吸臭量を確保できる。キッチン周り、及び水周り、及び臭い発生周り吸湿・吸臭用無機質箱状容器に可能である。【００２０】また、高吸水性平板は、バーミキュライトを主成分として、ケイ酸カルシウムを３０〜７０％重量含むため、高い吸水、吸臭の能力を有して常に乾燥に近い状態を維持でき、高さが２００〜１２００ｍｍの容器であるので、使用者に対して安全性使用でき、腐食性、あるいは臭い発生の廃棄物処理に置いても便利であった。
【図面の簡単な説明】
【００２１】
【図１】吸湿・吸臭用無機質を使用した箱状容器での斜視図である。
【図２】吸湿・吸臭用無機質を使用した箱状容器の平面図と断面図である。
【図３】吸湿・吸臭用無機質を使用した箱状容器（調味ケース）の特殊形状での斜視図である。
【考案を実施するための形態】
【００２２】以下、本考案の実施の一形態を、図示例とともに説明する。図１に示すように、吸湿・吸臭ボックス体は、パーミキュライトとケイ酸カルシウムと繊維質材とを含む調湿材を含む無機性高吸水性平板の容積体を収めた吸湿・吸臭用無機質箱状容器の略正方形、又は略長方形の箱体である。
【実施例１】
【００２３】吸臭・吸湿できる立体ボックス体において、厚さ２０ｍｍ木製の平板から製作された縦６５０ｍｍ、横５５０ｍｍ、高さ６００ｍｍの略長方形の箱体が構成されて、前記箱体の１面に開閉できる面からなっている当該ボックス体において、内部の６面のうち４面にパーミキュライトとケイ酸カルシウムと繊維質材とを含む調湿材である、厚さ４ｍｍで、縦６００ｍｍ、横５００ｍｍの高吸湿・吸臭性平板を内部に張った収納部で、前記収納部の６面体の形状のうち、１面を開けている容器体になっている吸湿・吸臭ボックス体を製作した。【００２４】高吸湿・吸臭性平板の主成分として、吸臭性、並びに吸湿性を高めた無機性であるバーミキュライトとケイ酸カルシウムからなる基材に配合されており、その配合量が全組成物（固形分）の６５質量％であって、その他石灰質材料と補強繊維を含有している吸臭・吸湿できる略正方形、又は略長方形の形状になっている容積体の重量を、全体容器である２００Ｌの容積に対して２ｍ２の表面積の前記高吸湿・吸臭性平板材料を使用した。【００２５】吸湿・吸臭性の立体ボックス体は、ダストボックスであって、移動型があって、一面に開閉扉を持って、収納、又は取り出しが可能にしており、移動型においては、伸縮可能な取手部を取り付けた。【００２６】前記の高吸水性平板の主成分は、バーミキュライトとケイ酸カルシウムからなる基材に配合され、その配合量が全組成物（固形分）の６５質量％であった。その他含有成分として石灰質材料と補強繊維を含有させた。高吸水性平板の主成分であるバーミキュライトは、活性化処理されたバーミキュライトであった。【００２７】前記のバーミキュライトを、その配合量が全組成物（固形分）の５０重量％になるようにセメント、ケイ酸カルシウム、スラグ石膏、パルプ補強繊維、から選択される基材に配合した組成物であった。また無機性高吸水性平板の色彩としてクリーム色で、表面内のデザインとして、無垢の状態にした。これによって、食品の廃棄物を処分しても悪臭が相当減少した。また、湿気も吸収するので、雑菌の繁殖も減少した。
【実施例２】
【００２８】吸臭・吸湿できる立体ボックス体において、厚さ２０ｍｍ木製の平板から製作された縦５５０ｍｍ、横５５０ｍｍ、高さ５５０ｍｍの略正方形の箱体が構成されて、前記箱体の１〜２面に開閉できる面からなっている当該ボックス体において、内部の６面のうち３〜４面にパーミキュライトとケイ酸カルシウムと繊維質材とを含む調湿材である、厚さ６ｍｍで、縦５２０ｍｍの高吸湿・吸臭性平板を内部に張った収納部で、前記収納部の６面体の形状のうち、１面を開けている容器体になっている吸湿・吸臭ボックス体にした。【００２９】高吸湿・吸臭性平板の主成分として、吸臭性、並びに吸湿性を高めた無機性であるバーミキュライトとケイ酸カルシウムからなる基材に配合されており、その配合量が全組成物（固形分）の５〜７０質量％であって、その他石灰質材料と補強繊維を含有している吸臭・吸湿できる略正方形、又は略長方形の形状になっている容積体の重量を、全体容器である２００Ｌの容積に対して１ｍ２の表面積の前記高吸湿・吸臭性平板材料を使用した。【００３０】吸湿・吸臭性の立体ボックス体は、調味ケースの固定型があって、一面に開閉扉を持って、収納、又は取り出しが可能にした。また種々の調味料を保管して内容物が分かるように、開口部は透明のガラスとにした。【００３１】前記の高吸水性平板の主成分は、バーミキュライトとケイ酸カルシウムからなる基材に配合され、その配合量が全組成物（固形分）の６５質量％であった。その他含有成分として石灰質材料と補強繊維を含有させた。高吸水性平板の主成分であるバーミキュライトは、活性化処理されたバーミキュライトであった。【００３２】前記のバーミキュライトを、その配合量が全組成物（固形分）の５０重量％になるようにセメント、ケイ酸カルシウム、スラグ石膏、パルプ補強繊維、から選択される基材に配合した組成物であった。また無機性高吸水性平板の色彩としてクリーム色で、表面内のデザインとして、無垢の状態にした。これによって、調味セースは、調味料の特有な臭気も消え、種々の調味料を保管しても、臭いの混合はなかった。
【実施例３】
【００３３】吸臭・吸湿できる立体ボックス体において、厚さ２０ｍｍ木製の平板から製作された縦４００ｍｍ、横５００ｍｍ、高さ４００ｍｍの略長方形の箱体が構成されて、前記箱体の２面に開閉できる面からなっている当該ボックス体において、内部の６面のうち４面にパーミキュライトとケイ酸カルシウムと繊維質材とを含む調湿材である、厚さ６０ｍｍで、縦３８０、横４８０ｍｍの高吸湿・吸臭性平板を内部に張った収納部で、前記収納部の６面体の形状のうち、２面を開けている容器体になっていることを特徴とする吸湿・吸臭ボックス体。【００３４】高吸湿・吸臭性平板の主成分として、吸臭性、並びに吸湿性を高めた無機性であるバーミキュライトとケイ酸カルシウムからなる基材に配合されており、その配合量が全組成物（固形分）の６５質量％であって、その他石灰質材料と補強繊維を含有している吸臭・吸湿できる略正方形、又は略長方形の形状になっている容積体の重量を、全体容器である２５０Ｌの容積に対して１．５３ｍ２の表面積の前記高吸湿・吸臭性平板材料を使用した。【００３５】吸湿・吸臭性の立体ボックス体は、食品保存庫であって、固定型にした。内容物を取り出し、収納して、保管するために、暗室になる扉を取り付けた。また一面に開閉扉を持って、収納、又は取り出しが容易になるように、大口の扉にした。【００３６】前記の高吸水性平板の主成分は、バーミキュライトとケイ酸カルシウムからなる基材に配合され、その配合量が全組成物（固形分）の５５質量％であった。その他含有成分として石灰質材料と補強繊維を含有させた。高吸水性平板の主成分であるバーミキュライトは、活性化処理されたバーミキュライトであった。【００３７】前記のバーミキュライトを、その配合量が全組成物（固形分）の５０重量％になるようにセメント、ケイ酸カルシウム、スラグ石膏、パルプ補強繊維、から選択される基材に配合した組成物であった。また無機性高吸水性平板の色彩としてクリーム色で、表面内のデザインとして、無垢の状態にした。この食品収納庫によって、備蓄品などの長期保存も可能になった。
【符号の説明】
【００３８】１  吸湿・吸臭ボックス体
２  高吸湿・吸臭性平板（商標：モイス板）
３  木製箱体
４  容積部
５  開閉部
６  キャスター
７  容器体
８  取手
９  開き戸
１０  ガラス戸
１１  丁番
【図１】
0003212571.tif 000003
【図２】
0003212571.tif 000004
【図３】
0003212571.tif 000005
【手続補正書】
【提出日】平成29年6月27日(2017.6.27)
【手続補正１】
【補正対象書類名】実用新案登録請求の範囲
【補正対象項目名】全文
【補正方法】変更
【補正の内容】
【実用新案登録請求の範囲】
【請求項１】
吸臭・吸湿できる立体ボックス体において、厚さ４〜１５ｍｍの吸湿・吸臭用無機質の平板から製作された縦２００〜７００ｍｍ、横２００〜９００ｍｍ、高さ２００〜１８００ｍｍの略正方形、又は略長方形の箱体が構成されている当該ボックス体の６面のうち４〜５面にパーミキュライトとケイ酸カルシウムと繊維質材とを含む調湿材平板である、高吸湿・吸臭性平板からなる収納部で、前記収納部の６面体の形状のうち、１〜２面を開口にしている収納容器体になっていることを特徴とする吸湿・吸臭用無機質箱状容器。
【請求項２】
高吸湿・吸臭性無機質平板は、吸臭性、並びに吸湿性を高めた無機性であるバーミキュライトとケイ酸カルシウムからなる基材を配合して、その配合量を全組成物で固形分として５〜７０質量％になっており、前記平板の略正方形、又は略長方形の形状体を使用して製作された前記容器における容積を、３〜１２００Ｌにして、前記容器の内部に棚部、箱部、引き出部を取り付けていることを特徴とする請求項１に記載の吸湿・吸臭用無機質箱状容器。
【請求項３】
吸湿・吸臭性の吸湿・吸臭用無機質箱状容器は、靴ボックス、調味ケース、食品収納庫であって、ボックスの組み立ての無機質箱状固定型、或いは移動型があって、１〜２面の開口部に開閉扉を持つこともでき、しかも物品を収納、又は取り出しが可能にしており、移動型においては、上面に伸縮可能な取手部、及び底部に４個の回転型キャスター、並びに木製の枠体を取り付けていることを特徴とする請求項１、又は請求項２に記載の吸湿・吸臭用無機質箱状容器。